(57)【要約】      （修正有）【課題】ユーザー自身が調整を行うことなく、要求したスクリーンディスプレイ効果を得ることができる自動モニタディスプレイ調整方法を提供する。【解決手段】スクリーンディスプレイ信号を受信するステップと、スクリーンディスプレイ信号がそのモニタディスプレイレンジに適合しているかいなかを決定するステップと、自動的にディスプレイレンジを最適なレンジに調整するためにモニタディスプレイの自動調整を実行するステップととから構成される。モニタディスプレイが電源に接続されコンピュータホストからディスプレイ信号を受信すると、モニタディスプレイのディスプレイレンジと他のディスプレイの設定を自動的に調整するためのＮＴＡＡ（手を触れることなく行われる自動調整）が開始される。【選択図】      図１
2004287387.tif 000002
【特許請求の範囲】
【請求項１】
モニタディスプレイの電源がオンされた後最初のスクリーンディスプレイ信号が受信された時に自動的にモニタディスプレイを調整するモニタディスプレイ調整方法であって、
スクリーンディスプレイ信号を受信するステップと、
スクリーンディスプレイ信号がそのモニタディスプレイレンジに適合しているかいなかを決定するステップと、
自動モニタディスプレイ調整を実行するステップと、
自動的にモニタディスプレイレンジを調整するステップと、を含むことを特徴とするモニタディスプレイ調整方法。
【請求項２】
モニタディスプレイの設定を調整するユーザーのためにユーザーオペレーションインタフェースを提供するステップをさらに含むことを特徴とする請求項１記載のモニタディスプレイ調整方法。
【請求項３】
メニュー（ＭＥＮＵ）信号、自動（ＡＵＴＯ）信号、電源（ＰＯＷＥＲ）信号を同時に受信するステップと、
デフォルトのスクリーン調整値を読み込むステップと、
メニュー（ＭＥＮＵ）信号を受信してメインメニューを提供するステップと、
リコール（ＲＥＣＡＬＬ）信号を受信するステップと、
デフォルトのモニタディスプレイ設定にしたがってスクリーンディスプレイを調整するステップと、
ＮＴＡＡフラグを変更するステップと、
を含むＮＴＡＡフラグリコール方法をさらに含むことを特徴とする請求項１記載のモニタディスプレイ調整方法。
【請求項４】
前記デフォルトのモニタディスプレイ設定にしたがってスクリーンディスプレイを調整するステップは、コントラスト（ＣＯＮＴＲＡＳＴ）値の調整を含むことを特徴とする請求項３記載のモニタディスプレイ調整方法。
【請求項５】
前記デフォルトのモニタディスプレイ設定にしたがってスクリーンディスプレイを調整するステップは、輝度（ＢＲＩＧＨＴＮＥＳＳ）値の調整を含むことを特徴とする請求項３記載のモニタディスプレイ調整方法。
【請求項６】
前記デフォルトのモニタディスプレイ設定にしたがってスクリーンディスプレイを調整するステップは、カラートゥープリセット（ＣＯＬＯＲ  ＴＯ  ＰＲＥＳＥＴ）調整を含むことを特徴とする請求項３記載のモニタディスプレイ調整方法。
【請求項７】
前記デフォルトのモニタディスプレイ設定にしたがってスクリーンディスプレイを調整するステップは、モニタ信号の調整を含むことを特徴とする請求項３記載のモニタディスプレイ調整方法。
【請求項８】
前記デフォルトのモニタディスプレイ設定にしたがってスクリーンディスプレイを調整するステップは、言語のリセットを含むことを特徴とする請求項３記載のモニタディスプレイ調整方法。
【請求項９】
前記デフォルトのモニタディスプレイ設定にしたがってスクリーンディスプレイを調整するステップは、Ｈ−ＯＳＤ  ＰＯＳＩＴＩＯＮの調整を含むことを特徴とする請求項３記載のモニタディスプレイ調整方法。
【請求項１０】
前記デフォルトのモニタディスプレイ設定にしたがってスクリーンディスプレイを調整するステップは、Ｖ−ＯＳＤ  ＰＯＳＩＴＩＯＮの調整を含むことを特徴とする請求項３記載のモニタディスプレイ調整方法。
【請求項１１】
前記デフォルトのモニタディスプレイ設定にしたがってスクリーンディスプレイを調整するステップは、平滑化（ＳＭＯＯＴＨＩＮＧ）調整を含むことを特徴とする請求項３記載のモニタディスプレイ調整方法。
【請求項１２】
前記デフォルトのモニタディスプレイ設定にしたがってスクリーンディスプレイを調整するステップは、隠れた（ＩＮＶＩＳＩＢＬＥ）調整を含むことを特徴とする請求項３記載のモニタディスプレイ調整方法。
【発明の詳細な説明】
【技術分野】
【０００１】
本発明は、モニタディスプレイを自動的に調整するモニタディスプレイ調整方法に関する。
【背景技術】
【０００２】
現在、市場のモニタディスプレイには、モニタディスプレイが最初にディスプレイ信号を受信した時に通常デフォルトの設定を使用する、伝統的な陰極線管（ＣＲＴ）、ポピュラーな薄膜電解トランジスタ（ＴＦＴ）液晶ディスプレイ（ＬＣＤ）または将来のプラズマディスプレイ（ＰＤＰ）が含まれる。したがって、フレームが一方側にシフトされているか、スクリーンよりも大きいか小さいものが見受けられる。ディスプレイのフレームがスクリーンに適合するように、モニタディスプレイメーカーは、各自の意志で調整できるようにユーザー用の調整ボタンを用意する。
【０００３】
それにもかかわらず、単に調整ボタンの使い方を知らないため、メーカーが用意した調整ボタンの使用をためらうユーザーがいる。したがって、メーカーが用意した調整機構はユーザーにとって十分ではないということが考えられる。これらのユーザーの手助けをするために、あるメーカーが自動（ＡＵＴＯ）ボタンという新しい調整ボタンを設計し始めた。この調整ボタンを使うことによって、ユーザーは問題なくスクリーンを適合した設定に調整できる。
【０００４】
たとえそうであっても、この調整ボタン（押しボタン）の動作には依然として人間の操作を必要とする。したがって、もしスクリーンが最適なディスプレイレンジとディスプレイ条件に自動的に合わせられるように、調整処理がプログラムまたは機器により実行されるか制御されるならば、ユーザーは、それほど、モニタディスプレイを使うことを躊躇しないであろう。
【発明の開示】
【発明が解決しようとする課題】
【０００５】
前述の問題を考慮して、本発明はモニタディスプレイ調整方法を提供する。本発明のモニタディスプレイ調整方法では、モニタディスプレイが電源に接続されコンピュータホストからディスプレイ信号を受信すると、モニタディスプレイのディスプレイレンジと他のディスプレイの設定を自動的に調整するためのＮＴＡＡ（Ｎｏ  Ｔｏｕｃｈ  Ａｕｔｏ  Ａｄｊｕｓｔｍｅｎｔ：手を触れることなく行われる自動調整）が開始される。
【０００６】
したがって、本発明の目的は、ユーザー自身が調整を行うことなく、要求したスクリーンディスプレイ効果を得ることができるモニタディスプレイ調整方法を提供することである。
【課題を解決するための手段】
【０００７】
上記目的を達成するために、本発明の方法は、スクリーンディスプレイ信号を受信するステップと、スクリーンディスプレイ信号がそのモニタディスプレイレンジに適合しているかいなかを決定するステップと、自動的にディスプレイレンジを最適なレンジに調整するためにモニタディスプレイの自動調整を実行するステップとを含む。
【０００８】
開示されたシステムと方法の詳細な説明から従来技術に存在する問題が解決できることがわかる。マニュアル調整をすることなくユーザーを満足させるためにモニタスクリーンが自動的に調整されることもわかる。
【発明の効果】
【０００９】
上記の構成により、本発明の方法によれば、ユーザーが調整ボタンを操作することなく、ディスプレイの調整を自動的に行うことができる。
【発明を実施するための最良の形態】
【００１０】
以下に、本発明に係るモニタディスプレイ調整方法を図面に基づいて詳細に説明する。以下の説明によって本発明が完全に理解できるであろう。この記載は本発明の理解を容易にするために行われているものであり、この記載に基づいて特許請求の範囲に記載した技術的範囲を限定すべきではない。
【００１１】
本発明の方法は、モニタディスプレイが電源と接続されて、コンピュータホストからディスプレイ信号を受信した後に、ユーザーがマニュアル調整をすることなく、スクリーンのディスプレイレンジを自動的に調整する。
【００１２】
図１において、モニタディスプレイは最初スクリーンディスプレイ信号を受信する（ステップ１１０）。もしスクリーンディスプレイ信号がモニタディスプレイレンジ（ステップ１２０）に適合しないと決定されているならば、自動的なモニタディスプレイ調整が実行される（ステップ１３０）。モニタディスプレイレンジは、また、スクリーンディスプレイ信号がそのモニタディスプレイレンジに適合するまで自動的に調整される（ステップ１４０）。
【００１３】
この方法はモニタディスプレイ用のＮＴＡＡである。モニタディスプレイがコンピュータホストの電源とディスプレイカードに接続されたら、コンピュータホストから送られたスクリーンディスプレイ信号を受信し画像を表示する。しかし、スクリーンディスプレイが開始すると、ＮＴＡＡは最初にディスプレイ信号がモニタディスプレイレンジと適合しているかどうかを決定する。ディスプレイ信号がモニタディスプレイレンジと適合していなければ、ＮＴＡＡは最適な視覚レンジにスクリーンディスプレイを調整するために自動スクリーン調整を実行する。目標に達すると、モニタスクリーンはユーザーのマニュアル調整によることなく最適なディスプレイレンジになる。
【００１４】
図１に示した上記の説明の後、本発明の最適な実施形態を示す図２及び図３を用いて自動調整の方法をさらに詳細に説明する。
【００１５】
図２に示すように、モニタディスプレイが電源に接続された後、コンピュータからスクリーンディスプレイ信号の受信を開始すると、ＮＴＡＡは最初にＮＴＡＡのフラグが１であるか否かを決定する（ステップ２１０）。結果が「ノー」であれば、それはモニタディスプレイ設定が調整されて、ＮＴＡＡが自動的に停止されることを意味する。モニタディスプレイはそのときコンピュータから画像信号を受信し表示する。結果が「イエス」であれば、ＮＴＡＡはユーザーオペレーションインタフェースをスタートさせるか否かを決定する（ステップ２２０）。ユーザーがモニタディスプレイパネルのどの操作キーにも触れなければ、システムは自動調整の実行を開始する（ステップ２３０）。この瞬間に、ＮＴＡＡは、メモリーに蓄えられた設定記憶に従ってモニタディスプレイ条件を調整する。モニタディスプレイ条件が修正された後に、ＮＴＡＡは調整が完全であるかどうかも決定する（ステップ２４０）。決定結果が「ノー」であればＮＴＡＡのフラグは１に設定される（ステップ２４１）。決定結果が「イエス」であればＮＴＡＡのフラグは０に設定される（ステップ２４２）。ＮＴＡＡは自動的に停止され、モニタディスプレイはコンピュータから送られたスクリーンディスプレイ信号を受信し表示を開始する。
【００１６】
図２において、ステップ２２０の間（ユーザーオペレーションインタフェースの開始の決定）にユーザーがモニタディスプレイパネルの何れかのオペレーションキーにタッチすれば、図３に示されるように、ユーザーオペレーションインタフェースが表示され（ステップ２５０）、システムはユーザーからのオペレーション信号を待つ。ユーザーが自動調整を実行するためにオート（ＡＵＴＯ）キーを押すと（ステップ２６０）、ＮＴＡＡはメモリーに蓄えられた設定記憶に従ってスクリーンディスプレイ条件を調整する。モニタディスプレイ条件が修正された後、ＮＴＡＡは調整が完了したかどうかも決定する（ステップ２８０）。決定結果が「イエス」であれば、ＮＴＡＡのフラグは０に設定される（ステップ２４２）。ＮＴＡＡは自動的に停止され、そして、モニタディスプレイは、コンピュータから送られたスクリーンディスプレイ信号の受信と表示を開始する。決定結果が「ノー」であれば、図２に示すようにＮＴＡＡのフラグは１に設定され（ステップ２４２）、システムは以前に言及された手続を繰り返すためにステップ２１０に戻る。
【００１７】
図３において、ユーザーがモニタスクリーンを調整するためにマニュアル調整を実行するためにステップ２５０のモニタディスプレイパネルの操作キーを用いると（ステップ２７０）、ＮＴＡＡはユーザーの記憶された調整設定にしたがってディスプレイスクリーンを調整する。ユーザーが調整を行った後、ＮＴＡＡはマニュアル調整が終了したか否かを決定する（ステップ２９０）。決定結果が「ノー」であれば、ユーザーはマニュアル調整の実行を継続する（ステップ２７０）。決定結果が「イエス」であれば、ＮＴＡＡのフラグは図２に示すように０に設定される（ステップ２４２）。ＮＴＡＡは自動的に停止して、モニタディスプレイはコンピュータから送られる画像信号の受信と表示を開始する。
【００１８】
上記の実施の形態で説明されたように、その処理はモニタディスプレイの設定を１つのデフォルトに変更する処理をさらに含んでいる。ＮＴＡＡのフラグをリコールする（取り消す）処理を図４に基づいて説明する。
【００１９】
図３に示すように、モニタディスプレイのリコールの設定が実行される前に、メニュー（ＭＥＮＵ）、自動（ＡＵＴＯ）、電源（ＰＯＷＥＲ）のキーが同時に押さなければならない。モニタディスプレイがメニュー（ＭＥＮＵ）、自動（ＡＵＴＯ）、電源（ＰＯＷＥＲ）のキーの信号を同時に受信した後（ステップ３１０）、モニタディスプレイはディスプレイの設定をリコールする準備のためデフォルトスクリーン調整パラメータの読み込みを開始する（ステップ３２０）。ここで、ユーザーはモニタディスプレイにメニュー（ＭＥＮＵ）信号を受信させるためにメニュー（ＭＥＮＵ）キーを押さなければならない（ステップ３３０）。メインメニューはユーザーの使用のために提供される（ステップ３４０）。メインメニューの案内を通じてユーザーは（ＲＥＣＡＬＬ）命令の実行に導かれる。モニタディスプレイがリコール（ＲＥＣＡＬＬ）信号を受信すると（ステップ３５０）、モニタスクリーンはデフォルトの設定に従って調整される（ステップ３６０）。リコール（ＲＥＣＡＬＬ）設定が終了すると、ＮＴＡＡフラグは変更され（ステップ３７０）、すべてのリコール（ＲＥＣＡＬＬ）処理が終了する。
【００２０】
スクリーンディスプレイ設定の調整は、コントラスト（ＣＯＮＴＲＡＳＴ）値、輝度（ＢＲＩＧＨＴＮＥＳＳ）値、カラー（ＣＯＬＯＲ）調整（カラートゥープリセット（ＣＯＬＯＲ  ＴＯ  ＰＲＥＳＥＴ）調整）、スクリーン信号設定（ＬＣＤ  ＡＤＪＵＳＴなどの）、ディスプレイ言語の設定、Ｈ−ＯＳＤ  ＰＯＳＩＴＩＯＮ設定、Ｖ−ＯＳＤ  ＯＳＩＴＩＯＮ設定、平滑化（ＳＭＯＯＴＨＩＮＧ）設定、および隠れた、目に見えない（ＩＮＶＩＳＩＢＬＥ）値の項目を含む。上記項目のデフォルト設定を通じて、スクリーンディスプレイはプリセットディスプレイモードに自動的に調整できる。
【００２１】
当業者によって行われる種々の改変は本発明の精神を逸脱しない範囲内で特許請求の範囲に記載された技術的範囲に含まれるものと解される。
【産業上の利用可能性】
【００２２】
本発明にかかるモニタディスプレイ調整方法は種々のディスプレイの分野で応用することができる。
【図面の簡単な説明】
【００２３】
【図１】本発明にかかるモニタディスプレイ調整方法のメインフローチャートである。
【図２】本発明にかかるモニタディスプレイ調整方法の詳細なフローチャートである。
【図３】本発明にかかるモニタディスプレイ調整方法の詳細なフローチャートである。
【図４】本発明に基づくＮＴＡＡのフローチャートのリコールフローチャートである。
【図１】
2004287387.tif 000003
【図２】
2004287387.tif 000004
【図３】
2004287387.tif 000005
【図４】
2004287387.tif 000006